(57)【要約】【課題】ハウジングに保持された複数のコンタクトのうちの一部が基板に対して電気的に接続されていない状態が発生することを抑制できる表面実装型のコネクタを提供する。【解決手段】複数のコンタクト１１は、基板１００に対して電気的に接続される接続部１１ａをそれぞれ有する。ハウジング１２は、複数のコンタクト１１を整列した状態で保持する。複数のボス１３は、ハウジング１２から突出する突起状に設けられ、基板１００に嵌合することで、ハウジング１２を基板１００に固定する。傾斜配置部１４は、ハウジング１２に設けられ、複数のボス１３が基板１００に嵌合した状態でハウジング１２を基板１００の表面１００ａに対して傾斜した姿勢で配置させる。傾斜配置部１４は、ハウジング１２を基板１００の表面１００ａに対して傾斜した姿勢で配置させることで、複数のコンタクト１１の接続部１１ａを弾性変形させた状態で基板１００に対して接触させる。【選択図】        図９
2016195061.tif 000002
【特許請求の範囲】
【請求項１】
基板の表面に実装されるコネクタであって、
前記基板に対して電気的に接続される接続部をそれぞれ有する複数のコンタクトと、
前記複数のコンタクトが整列した状態で当該複数のコンタクトを保持するハウジングと、
前記ハウジングから突出する突起状に設けられ、前記基板に対して嵌まり込んで嵌合することで、前記ハウジングを前記基板に固定する複数のボスと、
前記ハウジングに設けられ、前記複数のボスが前記基板に嵌合した状態で前記ハウジングを前記基板の表面に対して傾斜した姿勢で配置させる傾斜配置部と、
を備え、
前記傾斜配置部は、前記ハウジングを前記基板の表面に対して傾斜した姿勢で配置させることで、前記複数のコンタクトの前記接続部を弾性変形させた状態で前記基板に対して接触させることを特徴とする、コネクタ。
【請求項２】
請求項１に記載のコネクタであって、
前記基板の表面に対向する前記ハウジングの底面は、当該ハウジングから前記複数のコンタクトの前記接続部が突出する側の端部において、前記基板の表面に当接し、
前記傾斜配置部は、前記ハウジングにおける前記基板に対向する部分に設けられ、前記基板の表面に当接することで、前記接続部が突出する側の端部において前記基板の表面に当接する前記ハウジングの底面と、前記基板の表面と、の間に空隙を形成するように、設けられていることを特徴とする、コネクタ。
【請求項３】
請求項２に記載のコネクタであって、
前記傾斜配置部は、前記ハウジングの底面に設けられ、前記ハウジングの底面において凸状或いは段状に形成された部分として設けられていることを特徴とする、コネクタ。
【発明の詳細な説明】
【技術分野】
【０００１】
本発明は、基板の表面に実装されるコネクタに関する。
【背景技術】
【０００２】
従来より、基板が他の基板或いはフラットケーブル等と電気的に接続される際には、基板の表面に実装されるコネクタが用いられている。このような表面実装型のコネクタとして、特許文献１に開示されたものが知られている。
【０００３】
特許文献１に開示されたコネクタは、複数のコンタクト（複数の第１プラグ端子１２１、複数の第２プラグ端子１２２）と、複数のコンタクトを保持するハウジング（プラグ絶縁体３１１）と、を備えている。複数のコンタクトは、整列した状態でハウジングに保持されている。そして、複数のコンタクトは、基板に対して電気的に接続される接続部（外部接続端子１２１ｃ、外部接続端子１２２ｃ）をそれぞれ有している。
【０００４】
また、ハウジングには、基板に対向するハウジングの底面（基板載置面１２３ｂ’’）に複数のＬ型突起が設けられている。Ｌ型突起は、基板を貫通するように設けられ、その先端側にフックが設けられている。特許文献１のコネクタは、Ｌ型突起が基板を貫通してＬ型突起の先端のフックが基板に係合することで、基板に固定される。
【先行技術文献】
【特許文献】
【０００５】
【特許文献１】特開平１１−２６１０７号公報
【発明の概要】
【発明が解決しようとする課題】
【０００６】
特許文献１に開示されたコネクタは、Ｌ型突起が基板を貫通してＬ型突起の先端のフックが基板に係合することで、基板に固定される。このようにコネクタが基板に固定されることで、複数のコンタクトの各接続部が基板に接触して電気的に接続されることになる。
【０００７】
しかし、整列した状態でハウジングに保持される複数のコンタクトは、必ずしもハウジングに対して全く同じ状態で保持されているとは限らず、通常、ある程度のばらつきがある。即ち、全てのコンタクトにおいて、ハウジングに対して保持されている姿勢或いはハウジングに保持された状態での基板に対する相対位置が、全く同じとは限らず、通常、それらには、ある程度のばらつきがある。このため、特許文献１のコネクタによると、上記のばらつきの程度によっては、ハウジングに保持された複数のコンタクトのうちの一部のコンタクトにおいて、接続部が基板に接触していない状態が発生し、その一部のコンタクトが基板に対して電気的に接続されていない状態が発生してしまう虞がある。
【０００８】
本発明は、上記実情に鑑みることにより、ハウジングに保持された複数のコンタクトのうちの一部のコンタクトが基板に対して電気的に接続されていない状態が発生してしまうことを抑制することができる表面実装型のコネクタを提供することを目的とする。
【課題を解決するための手段】
【０００９】
（１）上記目的を達成するための本発明のある局面に係るコネクタは、基板の表面に実装されるコネクタであって、前記基板に対して電気的に接続される接続部をそれぞれ有する複数のコンタクトと、前記複数のコンタクトが整列した状態で当該複数のコンタクトを保持するハウジングと、前記ハウジングから突出する突起状に設けられ、前記基板に対して嵌まり込んで嵌合することで、前記ハウジングを前記基板に固定する複数のボスと、前記ハウジングに設けられ、前記複数のボスが前記基板に嵌合した状態で前記ハウジングを前記基板の表面に対して傾斜した姿勢で配置させる傾斜配置部と、を備え、前記傾斜配置部は、前記ハウジングを前記基板の表面に対して傾斜した姿勢で配置させることで、前記複数のコンタクトの前記接続部を弾性変形させた状態で前記基板に対して接触させることを特徴とする。
【００１０】
この構成によると、傾斜配置部がハウジングに設けられているため、複数のボスが基板に嵌合してハウジングが基板に固定された状態では、ハウジングは、基板の表面に対して傾斜した姿勢で配置される。そして、傾斜配置部は、複数のコンタクトの接続部を弾性変形させた状態で基板に対して接触させる。このため、複数のコンタクトにおいて、ハウジングに対して保持されている姿勢或いはハウジングに保持された状態での基板に対する相対位置にばらつきがあっても、各接続部が弾性変形して基板に接触するため、全てのコンタクトの接続部を容易に基板に接触させることができる。これにより、複数のコンタクトのうちの一部のコンタクトにおいて接続部が基板に接触していない状態が発生することを抑制でき、その一部のコンタクトが基板に対して電気的に接続されていない状態が発生してしまうことを抑制することができる。
【００１１】
従って、上記の構成によると、ハウジングに保持された複数のコンタクトのうちの一部のコンタクトが基板に対して電気的に接続されていない状態が発生してしまうことを抑制することができる表面実装型のコネクタを提供することができる。
【００１２】
（２）前記基板の表面に対向する前記ハウジングの底面は、当該ハウジングから前記複数のコンタクトの前記接続部が突出する側の端部において、前記基板の表面に当接し、前記傾斜配置部は、前記ハウジングにおける前記基板に対向する部分に設けられ、前記基板の表面に当接することで、前記接続部が突出する側の端部において前記基板の表面に当接する前記ハウジングの底面と、前記基板の表面と、の間に空隙を形成するように、設けられていることが好ましい。
【００１３】
この構成によると、傾斜配置部が、基板の表面に対向する部分であって、基板の表面に当接することでハウジングの底面と基板との間に空隙を形成する部分として、設けられる。このため、傾斜配置部を、ハウジングにおける基板の表面に対向する部分の一部を用いた簡素な構造で実現することができる。
【００１４】
（３）前記傾斜配置部は、前記ハウジングの底面に設けられ、前記ハウジングの底面において凸状或いは段状に形成された部分として設けられていることが好ましい。
【００１５】
この構成によると、傾斜配置部が、ハウジングの底面における凸状或いは段状に形成された部分として設けられる。このため、傾斜配置部を、ハウジングの底面に凸状或いは段状の部分を形成した簡素な構造で容易に実現することができる。
【発明の効果】
【００１６】
本発明によると、ハウジングに保持された複数のコンタクトのうちの一部のコンタクトが基板に対して電気的に接続されていない状態が発生してしまうことを抑制することができる表面実装型のコネクタを提供することができる。
【図面の簡単な説明】
【００１７】
【図１】本発明の一実施の形態に係るコネクタの斜視図であって、コネクタが実装される基板とともに示す図である。
【図２】コネクタ及び基板を図１とは異なる方向から見た状態を示す斜視図である。
【図３】コネクタ及び基板の正面図である。
【図４】コネクタ及び基板の側面図である。
【図５】図４のコネクタの一部を切欠き状態で拡大して示す図である。
【図６】コネクタが基板の表面に実装された状態を示す斜視図である。
【図７】コネクタ及び基板を図６とは異なる方向から見た状態を示す斜視図である。
【図８】コネクタが基板の表面に実装された状態のコネクタ及び基板の正面図である。
【図９】コネクタが基板の表面に実装された状態のコネクタ及び基板の側面図である。
【図１０】図９のコネクタ及び基板の一部を切欠き状態で拡大して示す図である。
【発明を実施するための形態】
【００１８】
以下、本発明を実施するための形態について図面を参照しつつ説明する。尚、本発明は、基板の表面に実装される表面実装型のコネクタとして、種々の用途に広く適用することができるものである。
【００１９】
［コネクタの概略］
図１は、本発明の一実施の形態に係るコネクタ１の斜視図であって、コネクタ１が実装される基板１００とともに示す図である。図２は、コネクタ１及び基板１００を図１とは異なる方向から見た状態を示す斜視図である。図３は、コネクタ１及び基板１００の正面図である。図４は、コネクタ１及び基板１００の側面図である。図１乃至図４においては、コネクタ１が基板１００の表面１００ａに実装されていない状態を示しており、コネクタ１が基板１００の表面１００ａに実装される方向を矢印Ａで示している。また、図１乃至図４にて一部のみが切欠き状態で模式的に図示された基板１００は、表面１００ａにおいて回路パターンが設けられた基板として構成されている。尚、図１乃至図４では、基板１００の表面１００ａにおける回路パターンのうちの一部の回路パターン１００ｂのみが図示され、その他の回路パターンの図示は省略されている。
【００２０】
コネクタ１は、基板１００と、他の基板（図示省略）或いはフラットケーブル（図示省略）等とを電気的に接続するために用いられる。コネクタ１は、基板１００の表面１００ａに実装される。そして、コネクタ１は、他の基板或いはフラットケーブル等に接続された相手側コネクタ（図示省略）に対して電気的及び機械的に接続される。本実施形態では、コネクタ１が、プラグ型の相手側コネクタが嵌合して接続されるレセプタクル型（ソケット型）のコネクタとして設けられた形態を例示している。コネクタ１は、複数のコンタクト１１、ハウジング１２、複数のボス１３、傾斜配置部１４、等を備えて構成されている。
【００２１】
［コンタクト］
複数のコンタクト１１は、基板１００に対して電気的に接続される接続部１１ａをそれぞれ有している。各コンタクト１１は、導電性の金属材料で形成され、一方の端部に接続部１１ａが設けられる。そして、各コンタクト１１は、他方の端部において前述の相手側コネクタに保持される相手側コンタクト（図示省略）に対して電気的に接続される。
【００２２】
また、複数のコンタクト１１は、ハウジング１２において平行に形成された複数のスリットのそれぞれに嵌め込まれている。これにより、複数のコンタクト１１は、一列に整列した状態でハウジング１２に保持される。そして、一列に整列した状態の複数のコンタクト１１は、互いに平行に配置されている。また、各接続部１１ａは、互いに略平行な方向に沿って、ハウジング１２から片持ち状に突出した状態で延びている。コネクタ１が基板１００の表面１００ａに実装される際には、各接続部１１ａは、各回路パターン１００ｂにはんだ付けされる。尚、図１乃至図４においては、はんだペーストが塗布された状態の回路パターン１００ｂが模式的に図示されている。
【００２３】
［ハウジング］
ハウジング１２は、複数のコンタクト１１が整列した状態で複数のコンタクト１１を保持する。ハウジング１２は、樹脂材料等の絶縁性材料で形成されている。ハウジング１２には、複数のコンタクト１１のそれぞれが挿入されて嵌め込まれる複数のスリットが設けられている。また、ハウジング１２には、前述の相手側コネクタが嵌合する開口１２ａが設けられている（図２を参照）。
【００２４】
［ボス］
図５は、図４のコネクタ１の一部を切欠き状態で拡大して示す図である。図１乃至図５に示すように、複数のボス１３のそれぞれは、ハウジング１２から突出する突起状に設けられている。本実施形態においては、ボス１３は、３つ設けられている。各ボス１３は、ハウジング１２と一体に設けられ、ハウジング１２の底面１２ｂ側から略垂直に突出するように設けられている。尚、ハウジング１２の底面１２ｂは、基板１００の表面１００ａに対向する面として構成される。
【００２５】
３つのボス１３のうちの２つのボス１３は、ハウジング１２においてコンタクト１１が並ぶ方向であるハウジング１２の幅方向における両側にそれぞれ設けられている。そして、ハウジング１２の幅方向の両側に設けられる各ボス１３は、ハウジング１２の底面１２ｂにおいて、ハウジング１２からコンタクト１１の接続部１１ａが突出する側の端部側に設けられている。尚、コンタクト１１の接続部１１ａは、ハウジング１２の幅方向に略垂直な方向に沿ってハウジング１２から突出している。一方、３つのボス１３のうちの残りの１つのボス１３は、ハウジング１２の幅方向の中央部分に設けられている。そして、ハウジング１２の幅方向の中央部分に設けられるボス１３は、ハウジング１２の底面１２ｂにおいて、ハウジング１２からコンタクト１１の接続部１１ａが突出する側と反対側の端部側に設けられている。
【００２６】
また、各ボス１３は、基板１００に対して嵌まり込んで嵌合することで、ハウジング１２を基板１００に固定するように構成されている。基板１００には、複数のボス１３に対応する位置において、複数（本実施形態では、３つ）のボス嵌合孔１００ｃが設けられている。各ボス嵌合孔１００ｃは、基板１００を表裏方向に貫通する貫通孔として設けられている。各ボス１３が各ボス嵌合孔１００ｃに嵌合することで、コネクタ１が基板１００に固定される。各ボス１３には、各ボス１３がハウジング１２から突出する方向に対して略垂直な方向に出っ張った一対の係合部１３ａが設けられている。また、各ボス１３は、二股状の突起として設けられており、中央にスリット１３ｂが設けられている。一対の係合部１３ａは、スリット１３ｂを挟んでスリット１３ｂの両側に配置されている。
【００２７】
［傾斜配置部］
傾斜配置部１４は、ハウジング１２に設けられている（図４及び図５を参照）。そして、傾斜配置部１４は、ハウジング１２において、複数のボス１３が基板１００に嵌合した状態でハウジング１２を基板１００の表面１００ａに対して傾斜した姿勢で配置させる部分として設けられている。更に、傾斜配置部１４は、ハウジング１２を基板１００の表面１００ａに対して傾斜した姿勢で配置させることで、複数のコンタクト１１の接続部１１ａを弾性変形させた状態で基板１００に対して接触させて押し付けるように構成されている。
【００２８】
また、傾斜配置部１４は、ハウジング１２の底面１２ｂに設けられ、ハウジング１２における基板１００の表面１００ａに対向する部分に設けられている。そして、傾斜配置部１４は、ハウジング１２の底面１２ｂにおいて凸状或いは段状に形成された部分として設けられている。本実施形態では、傾斜配置部１４は、ハウジング１２の底面１２ｂにおいて基板１００側に向かって段状に盛り上がるように形成された部分として設けられている。そして、傾斜配置部１４は、ハウジング１２の底面１２ｂにおいて、ハウジング１２の幅方向に亘って延びる段状の部分として設けられている。
【００２９】
また、傾斜配置部１４は、ハウジング１２の底面１２ｂにおいて、ハウジング１２からコンタクト１１の接続部１１ａが突出する側と反対側の端部側に設けられている。そして、基板１００の表面１００ａに対向するハウジング１２の底面１２ｂは、ハウジング１２から複数のコンタクト１１の接続部１１ａが突出する側の端部１２ｃにおいて、基板１００の表面１００ａに当接する。そして、傾斜配置部１４は、基板１００の表面１００ａに当接することで、接続部１１ａが突出する側の端部１２ｃにおいて基板１００の表面１００ａに当接するハウジング１２の底面１２ａと、基板１００の表面１００ａと、の間に空隙を形成するように、設けられている。
【００３０】
［コネクタの基板への接続］
次に、上述したコネクタ１が基板１００に実装された状態について、図６乃至図１０も参照しつつ更に説明する。図６は、コネクタ１が基板１００に実装された状態を示す斜視図である。図７は、コネクタ１及び基板１００を図６とは異なる方向から見た状態を示す斜視図である。図８は、コネクタ１が基板１００の表面１００ａに実装された状態のコネクタ１及び基板１００の正面図であり、図９は、その側面図である。図１０は、図９のコネクタ１及び基板１００の一部を切欠き状態で拡大して示す図である。
【００３１】
コネクタ１が基板１００に実装される際には、各ボス１３が各ボス嵌合孔１００ｃに嵌合し、コネクタ１が基板１００に接続される。各ボス１３が各ボス嵌合孔１００ｃに嵌合する際には、二股状の各ボス１３が、一旦、スリット１３ｂが狭まるように弾性変形する。そして、各ボス１３が各ボス嵌合孔１００ｃを貫通して嵌合した状態では、各ボス１３は、スリット１３ｂの幅が戻るように弾性回復し、一対の係合部１３ａが基板１００の裏面側で基板１００に対して係合する。これにより、ハウジング１２が基板１００に固定され、コネクタ１が基板１００に固定される。
【００３２】
各ボス１３が各ボス嵌合孔１００ｃに嵌合してハウジング１２が基板１００に固定された状態では、傾斜配置部１４は、基板１００の表面１００ａに当接する。そして、ハウジング１２の底面１２ｂは、コンタクト１１の接続部１１ａが突出する側の端部１２ｃにおいて、基板１００の表面１００ａに当接し、底面１２ｂと表面１００ａとの間に空隙が形成される（図９及び図１０を参照）。これにより、傾斜配置部１４は、ハウジング１２を基板１００の表面１００ａに対して傾斜した姿勢で配置させ、複数のコンタクト１１の接続部１１ａを弾性変形させた状態で基板１００の回路パターン１００ｂに接触させる。
【００３３】
尚、複数のコンタクト１１においては、ハウジング１２に対して保持されている姿勢或いはハウジング１２に保持された状態での基板１００に対する相対位置に交差の範囲内でばらつきが生じている（図４及び図５を参照）。一方、傾斜配置部１４がハウジング１２の底面１２ｂにおいて基板１００側に向かって段状に盛り上がる高さは、上記のばらつきを許容する交差の範囲よりも大きくなるように設定されている。このため、実装前の状態において、接続部１１ａの位置に上記のばらつきが生じている場合であっても、実装後の状態においては、コンタクト１１の弾性変形によって上記の接続部１１ａの位置のばらつきが吸収される。これにより、全てのコンタクト１１の接続部１１ａが基板１００の表面１００ａの回路パターン１００ｂに接触する（図９及び図１０を参照）。
【００３４】
［本実施形態の作用効果］
本実施形態によると、傾斜配置部１４がハウジング１２に設けられているため、複数のボス１３が基板１００に嵌合してハウジング１２が基板１００に固定された状態では、ハウジング１２は、基板１００の表面１００ａに対して傾斜した姿勢で配置される。そして、傾斜配置部１４は、複数のコンタクト１１の接続部１１ａを弾性変形させた状態で基板１００に対して接触させる。このため、複数のコンタクト１１において、ハウジング１２に対して保持されている姿勢或いはハウジング１２に保持された状態での基板１００に対する相対位置にばらつきがあっても、各接続部１１ａが弾性変形して基板１００に接触するため、全てのコンタクト１１の接続部１１ａを容易に基板１００に接触させることができる。これにより、複数のコンタクト１１のうちの一部のコンタクト１１において接続部１１ａが基板１００に接触していない状態が発生することを抑制でき、その一部のコンタクト１１が基板１００に対して電気的に接続されていない状態が発生してしまうことを抑制することができる。
【００３５】
従って、本実施形態によると、ハウジング１２に保持された複数のコンタクト１１のうちの一部のコンタクト１１が基板１００に対して電気的に接続されていない状態が発生してしまうことを抑制することができる表面実装型のコネクタ１を提供することができる。
【００３６】
また、本実施形態によると、傾斜配置部１４が、基板１００の表面１００ａに対向する部分であって、基板１００の表面１００ａに当接することでハウジング１２の底面１２ｂと基板１００との間に空隙を形成する部分として、設けられる。このため、傾斜配置部１４を、ハウジング１２における基板１００の表面１００ａに対向する部分の一部を用いた簡素な構造で実現することができる。
【００３７】
また、本実施形態によると、傾斜配置部１４が、ハウジング１２の底面１２ｂにおける段状に形成された部分として設けられる。このため、傾斜配置部１４を、ハウジング１２の底面１２ｂに段状の部分を形成した簡素な構造で容易に実現することができる。
【００３８】
［変形例］
以上、本発明の実施の形態について説明したが、本発明は上述の実施の形態に限られるものではなく、特許請求の範囲に記載した限りにおいて様々な変更が可能なものである。例えば、次のように変更して実施してもよい。
【００３９】
前述の実施形態では、ボスが３つ設けられた形態を例にとって説明したが、この通りでなくてもよい。ボスが２つ、又はボスが４つ以上設けられた形態が実施されてもよい。また、前述の実施形態では、ボスが、基板を貫通する形態を例にとって説明したが、この通りでなくてもよい。ボスは、基板に嵌合していればよく、必ずしも基板を貫通していなくてもよい。また、ボスの配置及び形状は、前述の実施形態とは異なっていてもよい。
【００４０】
前述の実施形態では、傾斜配置部がハウジングの底面において段状に形成された部分として設けられた形態を例にとって説明したが、この通りでなくてもよい。ハウジングの底面において凸状に形成された傾斜配置部が実施されてもよい。また、ハウジングの底面に設けられた傾斜配置部からボスが突出する形態が実施されてもよい。
【産業上の利用可能性】
【００４１】
本発明は、基板の表面に実装されるコネクタに関して、広く適用することができる。
【符号の説明】
【００４２】
１              コネクタ
１１            コンタクト
１２            ハウジング
１３            ボス
１４            傾斜配置部
１００          基板
【図１】
2016195061.tif 000003
【図２】
2016195061.tif 000004
【図３】
2016195061.tif 000005
【図４】
2016195061.tif 000006
【図５】
2016195061.tif 000007
【図６】
2016195061.tif 000008
【図７】
2016195061.tif 000009
【図８】
2016195061.tif 000010
【図９】
2016195061.tif 000011
【図１０】
2016195061.tif 000012